(57)【要約】      （修正有）【課題】歩行者や、自転車、自動車等の走行に邪魔することがない上に危険度も少なく、固定が堅固で、しかも小型軽量にして使い勝手が良く、かつ製造コストも安価なのぼり旗竿の支持具を提供する。【解決手段】建築物等の取付面１ａに対して固定可能な受け部材１を備えたのぼり旗竿Ｂの支持具Ａであって、当該受け部材１を、のぼり旗竿Ｂが上下動自在に挿通し且つ正面に当該のぼり旗竿Ｂの出し入れ用の弾性開閉可能な開口６を有する挿通孔７を形成した上部ホルダー部２と、のぼり旗竿Ｂの下端開口部１０に対する嵌合受け部材１１を備えた下部ホルダー部３とにて形成して成る。【選択図】図１
0003111889.tif 000002
【実用新案登録請求の範囲】
【請求項１】
建築物等の取付面に対して固定可能な受け部材を備えたのぼり旗竿の支持具であって、当該受け部材を、のぼり旗竿が上下動自在に挿通し且つ正面に当該のぼり旗竿の出し入れ用の弾性開閉可能な開口を有する挿通孔を形成した上部ホルダー部と、のぼり旗竿の下端開口部に対する嵌合受け部材を備えた下部ホルダー部とにて形成したことを特徴とするのぼり旗竿の支持具。
【考案の詳細な説明】
【技術分野】
【０００１】
本考案は、のぼり旗竿の支持具に関する。
【背景技術】
【０００２】
従来、街頭における商品の広告、宣伝のための広告宣伝媒体としてのぼり旗が使用されることが多い。こののぼり旗は通行人等の視覚に訴えるところから、できるだけ大型のものが望まれている。しかし、斬くするとこれを支える立て台も大型なものとなり、重量も相当に重いものを選択せざるを得ない問題がある。そこで、従来は、のぼり旗竿の支持具として、コンクリートブロックよりなる立て台、あるいは肉厚な樹脂成形品からなる注水式立て台などが使用されている。
【特許文献１】特になし
【考案の開示】
【考案が解決しようとする課題】
【０００３】
しかしながら、前記した従来の支持具は、街頭に設置されるため、歩行者や、自転車、自動車等の走行に邪魔となり、危険度も高い上に、設置作業、搬送作業に不便で、しかも製造コストも高い問題がある。さらに、のぼり旗竿が重い場合、注水式立て台では、水の他に、砂や小石等を入れることも必要となるため、設置作業が煩雑となり、使い勝手が良くない問題もある。
【０００４】
本考案は、前記した従来の技術が有するこのような問題点を解消するためになされたもので、建築物等の取付面に対してワンタッチで脱着可能とすることで、歩行者や、自転車、自動車等の走行に邪魔することがない上に危険度も少なく、固定が堅固で、しかも小型軽量にして使い勝手が良く、かつ製造コストも安価なのぼり旗竿の支持具を提供することを目的とする。
【課題を解決するための手段】
【０００５】
上記目的を達成するために、本考案に係るのぼり旗竿の支持具は、建築物等の取付面に対して固定可能な受け部材を備えたのぼり旗竿の支持具であって、当該受け部材を、のぼり旗竿が上下動自在に挿通し且つ正面に当該のぼり旗竿の出し入れ用の弾性開閉可能な開口を有する挿通孔を形成した上部ホルダー部と、のぼり旗竿の下端開口部に対する嵌合受け部材を備えた下部ホルダー部とにて形成したことを特徴とする。
【考案の効果】
【０００６】
本考案は、以上のとおり構成されるものであるから、いったん建築物等の取付面に対して受け部材を固定しておけば、のぼり旗竿をワンタッチで取り付け、もしくは取り外すことが可能であって、のぼり旗竿の設置が容易であり、歩行者等の邪魔をすることがないうえに、安全性にも優れている。
【０００７】
しかも、受け部材は、のぼり旗竿を側面から弾性力をもって挟着保持する上部ホルダー部と、のぼり旗竿の下端開口部に嵌合して受け止める下部ホルダー部とを具備するものであるから、のぼり旗竿が外側へ抜けたり、下方へ摺り落ちることがなく、極めて堅固に固定保持されるものである。
【考案を実施するための最良の形態】
【０００８】
以下、本考案を実施するための最良の形態について図面を参照して説明する。
図１は、本考案に係るのぼり旗竿の支持具を示す全体の側面図であって、図２は、図１のＡ−Ａ線矢視拡大断面図であり、図３は、図１のＢ−Ｂ線矢視拡大断面図であり、図４は、下部ホルダー部を示す側面図であり、図５は、下部ホルダー部の他例を示す側面図であり、図６は、上部ホルダー部とその固定部材を示す斜視図である。
【０００９】
図１において、Ａは建築物等の取付面１ａに対して固定可能な支持具、Ｂは支持具Ａによって固定、保持されるのぼり旗竿をそれぞれ示す。
【００１０】
支持具Ａは、若干の弾性を有する硬質プラスチック製の受け部材１によって構成されている。そして、この受け部材１は、一個ないし複数個からなる上部ホルダー部２と、一個の下部ホルダー部３とによって形成されている。
【００１１】
上部ホルダー部２は、基部に建築物等の取付面１ａに両面粘着テープ４を介して貼着、保持される取付板部５と、該取付板部５の先端側においてのぼり旗竿Ｂが上下摺動自在に挿通し且つ正面に当該のぼり旗竿Ｂ出し入れ用の弾性開閉可能な開口６を有する挿通孔７とを備えている。
【００１２】
一方、下部ホルダー部３も、基部に建築物等の取付面１ａに両面粘着テープ８を介して貼着、保持される取付板部９と、該取付板部９の先端側においてのぼり旗竿Ｂの下端開口部１０に対する嵌合受け部材１１とを備えている。
【００１３】
前記上部ホルダー部２は図２に示すように、のぼり旗竿Ｂの回転防止のために、挿通孔７の両側内面をのぼり旗竿Ｂの両側外面に設けたフラット部に対応するよう同形状のフラット部１２に形成してある。また、挿通孔７正面に設けられた開口６先端にはのぼり旗竿Ｂ出し入れ用の拡開ガイド部６ａが形成されている。
【００１４】
前記下部ホルダー部３において嵌合受け部材１１は図４に示すように、取付板部９に略Ｌ字状のアーム１３を介してその先端に球体１４を連設し、この球体１４をのぼり旗竿Ｂの下端開口部１０に嵌合するように形成することができる。
【００１５】
また、嵌合受け部材１１は図５に示すように、アーム１３を介してその先端に円錐台形体１５を連設し、この円錐台形体１５をのぼり旗竿Ｂの下端開口部１０に嵌合するように形成することもできる。
【００１６】
いずれの嵌合受け部材１１ものぼり旗竿Ｂの下端開口部１０に対してスムーズに嵌合するようになっている。
なお、このさい、嵌合受け部材１１の球体１４、円錐台形体１５に対してのぼり旗竿Ｂの下端開口部１０に圧入するようにすると一層堅固にのぼり旗竿Ｂを固定、保持することができる。
【００１７】
図６において、Ｃは支持具Ａにおける受け部材１の固定部材を示す。この固定部材Ｃは、背板１６と、その正面に切欠き１７および受け部材１の取付板部５、９（図示例では５のみを示す）の差込み溝１８とを有して形成される。図６では、受け部材１として上部ホルダー２のみを図示しているが、下部ホルダー３も使用可能であることは勿論である。
【００１８】
而して、この固定部材Ｃの差込み溝１８は、上方を幅広部とし、下方へ行くに従い漸次幅狭部としたテーパに形成され、これに対応して受け部材１の取付板部５、９の両側も同形状に形成されている。
【００１９】
このような偏平な固定部材Ｃを使用すれば、のぼり旗竿Ｂの不使用時には受け部材１を外しておくことができ、これによって歩行者等の邪魔となるのを防止できる。そして、使用時に受け部材１を固定部材Ｃへワンタッチで装着できる。なお、この固定部材Ｃの背板１６の背面にも両面粘着テープ１９が配設されている。
【００２０】
なお、図１において、２０はのぼり旗竿Ｂと横棒２０に複数のチチ２１を介して取り付けられたのぼり旗を示す。
【００２１】
次に、本考案の使用方法について説明する。
先ず、建築物等の取付面１ａの上方に受け部材１の上部ホルダー部２の取付板部５を両面粘着テープ４を介して貼着する。
【００２２】
一方、建築物等の取付面１ａの下方に受け部材１の下部ホルダー部３の取付板部９を両面粘着テープ８を介して貼着する。このとき、上部ホルダー部２はのぼり旗竿Ｂの長さに応じて一個ないし複数個取付面１ａに貼着するが、下部ホルダー部３は取付面１ａの真下に一個貼着する。
【００２３】
なお、このとき、図６に示す固定部材Ｃをあらかじめ建築物等の取付面１ａに両面粘着テープ１９を介して貼着しておき、その差込み溝１８に各受け部材１を装着することもできる。
【００２４】
次いで、のぼり旗２０の付いたのぼり旗竿Ｂの下端開口部１０を下部ホルダー部３の嵌合受け部材１１に上方より嵌め込み、のぼり旗竿Ｂを上部ホルダー部２の拡開ガイド部６ａ付き開口６より挿通孔７内部に押し込む。
【００２５】
このようにのぼり旗竿Ｂはワンタッチで容易に取付けられる反面、保持構造の異なる上部ホルダー部２および下部ホルダー部３とによって固定保持されるため、下方への落ち込みと正面方向への抜けの双方とも確実に阻止することが可能となっている。
【図面の簡単な説明】
【００２６】
【図１】本考案に係るのぼり旗竿の支持具を示す全体の側面図である。
【図２】図１のＡ−Ａ線矢視拡大断面図である。
【図３】図１のＢ−Ｂ線矢視拡大断面図である。
【図４】下部ホルダー部を示す側面図である。
【図５】下部ホルダー部の他例を示す側面図である。
【図６】上部ホルダー部とその固定部材を示す斜視図である。
【符号の説明】
【００２７】
Ａ      支持具
Ｂ      のぼり旗竿
１      受け部材
１ａ    建築物等の取付面
２      上部ホルダー部
３      下部ホルダー部
４、８  両面粘着テープ
５、９  取付板部
６      開口
７      挿通孔
１０    のぼり旗竿の下端開口部
１１    嵌合受け部材
【図１】
0003111889.tif 000003
【図２】
0003111889.tif 000004
【図３】
0003111889.tif 000005
【図４】
0003111889.tif 000006
【図５】
0003111889.tif 000007
【図６】
0003111889.tif 000008